(57)【要約】【課題】足裏のみならず、足首以上の汚れを簡単に落とすことができる、安価な小動物用足拭きを提供する。【解決手段】有底筒状をなすケース１２と、多孔質の柔らかいプラスチックにより環状に成型された払拭部材１４とを備えている。払拭部材１４は、ケース１２の開口部１６のほぼ全面を覆い、かつ中心孔１８が小動物の足を挿脱できる大きさとされている。払拭部材１４の上面は、ケース１２の開口面から突出しており、かつ凹凸面をなしている。小動物の足を、ケース１２内にある払拭部材１４の中心孔１８に出し入れするだけで、簡易に小動物の足拭きができる。【選択図】図１
0003122936.tif 000002
【実用新案登録請求の範囲】
【請求項１】
有底筒状のケースと、
多孔質の柔らかいプラスチックにより環状に成型された払拭部材とを備え、
前記払拭部材は、前記ケースの開口部のほぼ全面を覆い、かつ中心孔が小動物の足首を挿脱できる大きさとされたことを特徴とする小動物用足拭き。
【請求項２】
請求項１に記載の小動物用足拭きにおいて、
前記払拭部材の上面は、前記ケースの開口面から突出しており、かつ凹凸面をなしていることを特徴とする小動物用足拭き。
【請求項３】
請求項１又は２に記載の小動物用足拭きにおいて、
前記払拭部材の外周面の一部又は全面は、前記ケースの開口部の内周面に接着されていることを特徴とする小動物用足拭き。
【請求項４】
請求項１に記載の小動物用足拭きにおいて、
前記ケースの上面に、前記払拭部材の上面を包覆するキャップが嵌合されていることを特徴とする小動物用足拭き。
【請求項５】
請求項１に記載の小動物用足拭きにおいて、
前記ケース内に適量の水分を収納したことを特徴とする小動物用足拭き。
【請求項６】
請求項１に記載の小動物用足拭きにおいて、
前記払拭部材の中心孔の周囲数箇所に切れ目を設けたことを特徴とする小動物用足拭き。
【考案の詳細な説明】
【技術分野】
【０００１】
本考案は、室内で飼育される犬、猫等の小動物の足拭きに関する。
【背景技術】
【０００２】
犬や猫等の小動物が屋外を散歩等した後に室内に入る場合、そのまま動物を室内に入れたのでは室内の床が動物の足裏の汚れで汚くなるばかりか、衛生的にも問題がある。このため、例えば濡れタオル等の布材やウエットティッシュを用いて動物の足裏を拭いてから室内に入れているが、動物の汚れた足を素手で扱うのが不快、不潔であったり、また、その都度、布材やウエットティッシュを用意するのが面倒な場合がある。
【０００３】
散歩後の汚れた犬の足に、直接、手をあてることなく汚れを落とすことができ、簡単に使用できる足洗い器が考えられている。この足洗い器は、容器の内側底部に、底面よりやや小さく、かつ水ぬけ用の孔を有するマットを設け、このマットの表面に突起毛体を設けたものである（特許文献１参照）。この足洗い器は容器に水をはり、そこへ犬の足を浸けることにより、汚れをふやかして落とすものである。
【特許文献１】特開２００３−１３４９５５号公報
【考案の開示】
【考案が解決しようとする課題】
【０００４】
ここで、従来の技術には、次のような解決すべき課題があった。
上記した足洗い器は、足裏だけの洗浄であり、足首以上の洗浄ができないものである。また多数の突起毛体を植設する等の構成が複雑であり、コスト高になるという課題がある。
【０００５】
本考案は以上の点に着目してなされたもので、足裏のみならず、足首以上の汚れを簡単に落とすことができる、安価な小動物用足拭きを提供することを目的とする。
【課題を解決するための手段】
【０００６】
本考案の各実施例においては、それぞれ次のような構成により上記の課題を解決する。
〈構成１〉
有底筒状のケースと、多孔質の柔らかいプラスチックにより環状に成型された払拭部材とを備え、上記払拭部材は、上記ケースの開口部のほぼ全面を覆い、かつ中心孔が小動物の足首を挿脱できる大きさとされたことを特徴とする小動物用足拭き。
【０００７】
小動物の足首を、ケース内にある払拭部材の中心孔に出し入れするだけで、簡易に小動物の足拭きができる。構造簡単であるから安価に製造できる。
【０００８】
〈構成２〉
構成１に記載の小動物用足拭きにおいて、上記払拭部材の上面は、上記ケースの開口面から突出しており、かつ凹凸面をなしていることを特徴とする小動物用足拭き。
【０００９】
払拭部材上面の凹凸面を使えば、小動物の足の裏に付着した汚れ具合を見ながらその汚れを落とすことができる。
【００１０】
〈構成３〉
構成１又は２に記載の小動物用足拭きにおいて、上記払拭部材の外周面の一部又は全面は、上記ケースの開口部の内周面に接着されていることを特徴とする小動物用足拭き。
【００１１】
払拭部材がケースに固定されていることにより安定し、しっかり足拭きができる。
【００１２】
〈構成４〉
構成１に記載の小動物用足拭きにおいて、上記ケースの上面に、上記払拭部材の上面を包覆するキャップが嵌合されていることを特徴とする小動物用足拭き。
【００１３】
払拭部材を密閉して持ち運びできるので、散歩や小旅行等に携帯可能である。
【００１４】
〈構成５〉
構成１に記載の小動物用足拭きにおいて、上記ケース内に適量の水分を収納したことを特徴とする小動物用足拭き。
【００１５】
水分を使うことにより頑固な汚れも落とすことができる。
【００１６】
〈構成６〉
構成１に記載の小動物用足拭きにおいて、上記払拭部材の中心孔の周囲数箇所に切れ目を設けたことを特徴とする小動物用足拭き。
【００１７】
小動物の足を中心孔に出し入れした際に、中心孔が小動物の足の太さ等に応じてスムーズに拡がり、小動物を驚かせない。
【考案を実施するための最良の形態】
【００１８】
以下、本考案の実施の形態を実施例ごとに詳細に説明する。
【実施例１】
【００１９】
図１は実施例１の小動物用足拭きを示す説明図、図２は同小動物用足拭きの外観を示す斜視図である。
図１において、実施例１の小動物用足拭きは、発泡プラスチックにより切頭円錐形の有底円筒状に成型されたケース１２と、スポンジにより円環状に成型された払拭部材１４と、ケース１２の上面に被嵌されるキャップ２４とを備えている。
【００２０】
ケース１２は、片手で軽く持てる程度の大きさであり、プラスチック、紙、軽金属等の材料により、直円柱状、四角柱状等、任意の形状に成型されてもよい。
【００２１】
払拭部材１４は、ケース１２の開口部１６のほぼ全面を覆うように設けられ、かつ中心孔１８が小動物の足首を挿脱できる大きさとされている。払拭部材１４は、払拭機能を有する多孔質の柔らかいプラスチック製でよいので、成型材料としてはスポンジに限定されない。
【００２２】
払拭部材１４は、その底面がケース１２の底面から適当な間隔を置いて浮上されて配置されている。払拭部材１４は、その外周面の一部又は全面がケース１２の開口部１６の内周面に接着されてケース１２に固定されている。払拭部材１４は、少し縮径された状態でケース１２の開口部１６に嵌入され、その弾力のみでケース１２の開口部１６に保持されてもよい。ケース１２に接着していなければ、払拭部材１４の新旧交換がし易い。しかし、縮径されない状態で接着され、その接着力でケース１２の開口部１６に固定された方が位置安定性があって使用時、取り扱い易いという利点がある。
【００２３】
払拭部材１４の上面２２は、ケース１２の開口面（開口部１６の上面）２２から突出しており、かつ、凹凸面を呈している。この凹凸面は、周知のスポンジたわしの外面のように、多数の半球状の凹面を連続して並べたような形状をしている。この凹凸面２２は、小動物の足の裏に付着した汚れ等を落とすのに好適である。
【００２４】
また、ケース１２内に適量の水分を収納してもよい。水分としては、真水でよいが、必要に応じて洗浄液（水又は洗剤）を用いてもよい。水分を使うことにより、頑固な汚れを落とすのに好適である。
【００２５】
実施例１の小動物用足拭きは、使用するときは、図１に示すようにキャップ２４を外した状態で、小動物の足を、ケース１２内にある払拭部材１４の中心孔１８に出し入れするだけで、容易に小動物の足拭きができる。
また、必要に応じて、払拭部材１４の凹凸面２２を使って小動物の足裏及び足首以上の汚れを落とすことができる。
【００２６】
使わないときや持ち運び中には、図２に示すように、ケース１２の上面２２にキャップ２４を被せて、払拭部材１４の上面２２を包覆するようにする。キャップ２４は着脱自在に嵌合されている。図中、符号２５は舌片を示している。この舌片２５はキャップ２４の取外しの際の便宜に使われるが、必要に応じて設けられるものである。
【実施例２】
【００２７】
図３は実施例２の小動物用足拭きを示す説明図で、図１に示した部分と共通する部分には同一符号を付して重複説明を省略する。
図３に示すように、本考案の小動物用足拭きは、払拭部材１４の上面２２を平坦な面にして、より単純な構成としてもよい。
【００２８】
また、払拭部材１４の中心孔１８の周囲数箇所に切れ目２８を放射状に設けてもよい。これらの切れ目２８は、小動物の足を中心孔１８に出し入れした際に、中心孔１８の内径が小動物の足の太さ、形状等に応じてスムーズに拡がって、小動物に不快感を与えたり、驚かせたりしない。
【００２９】
なお、本考案においては、これらの切れ目２８が図１に示した実施例に設けられてもよいものである。また、これらの切れ目２８を払拭部材１４の内周面から外周面に亘って設けて、環状の払拭部材１４を複数個に分断した状態としてもよい。この場合には、分断された環状の払拭部材１４の各外周面は、ケース１２の内周面に接着されていることが好ましい。
【図面の簡単な説明】
【００３０】
【図１】実施例１の小動物用足拭きを分解して示す説明図である。
【図２】同小動物用足拭きの外観を示す斜視図である。
【図３】実施例２の小動物用足拭きを分解して示す説明図である。
【符号の説明】
【００３１】
１２  ケース
１４  払拭部材
１６  開口部
１８  中心孔
２２  上面
２４  キャップ
２５  舌片
２８  切れ目
【図１】
0003122936.tif 000003
【図２】
0003122936.tif 000004
【図３】
0003122936.tif 000005